(57)【要約】【課題】ＤＡＰ単独で再生する場合や外部機器と接続して再生する場合などの状況によらず、常にリジューム再生を活用可能とする。【解決手段】リジューム再生を行う再生装置１、２を互いに接続し、一方の再生装置に格納されたコンテンツデータを他方の再生装置で再生する再生システムにおいて、他方の再生装置は、操作部４０の操作に基づいてリジューム再生の再生位置を前記一方の再生装置との間で共有するか否かを指示し、その指示に基づいてリジューム再生を共有する場合、当該リジューム再生の共有に関するリジューム共有情報及びリジューム再生情報を一方の再生装置に送信し、一方の再生装置はリジューム共有情報に基づいて共有する場合に転送されたリジューム再生情報に基づいたリジューム再生を行う。【選択図】図１
2008217929.tif 000002
【特許請求の範囲】
【請求項１】
記憶手段に格納されたコンテンツデータを再生するとともに、前記コンテンツデータの再生中に中断された再生位置に関するリジューム情報に基づいて再生を再開するリジューム再生を行う再生手段を有する再生装置の少なくとも２台を互いに接続し、いずれか一方の再生装置の前記記憶手段に格納されたコンテンツデータを他方の再生装置で再生する再生システムにおいて、
前記他方の再生装置は、
当該他の再生装置におけるリジューム再生の再生位置を前記一方の再生装置との間で共有するか否かを指示する指示手段と、
前記指示手段による指示に基づいてリジューム再生を共有する場合、当該リジューム再生の共有に関するリジューム共有情報及び前記リジューム情報を前記一方の再生装置に送信する送信手段と、
を備え、
前記一方の再生装置は、
前記リジューム共有情報に基づいて、リジューム再生を共有する場合に前記他の再生装置から転送されたリジューム情報に基づいたリジューム再生を行う再生制御手段を備える再生システム。
【請求項２】
記憶手段に格納されたコンテンツデータを再生するとともに、前記コンテンツデータの再生中に中断された再生位置に関するリジューム情報に基づいて再生を再開するリジューム再生を行う再生手段を有する再生装置において、
他の再生装置とデータ通信可能に接続する通信手段と、
当該再生装置と他の再生装置との間で前記リジューム再生の再生位置を共有するか否かを指示する指示手段と、
前記通信手段を介して他の再生装置と接続した際に、前記指示手段による指示に基づいた前記リジューム再生の共有に関するリジューム共有情報及び前記リジューム情報を前記他の再生装置に送信する送信手段と、
前記リジューム共有情報に基づいて、リジューム再生を共有する場合に前記他の再生装置から送信されたリジューム情報に基づいたリジューム再生を行う再生制御手段と、
を備える再生装置。
【請求項３】
記憶手段に格納されたコンテンツデータを再生するとともに、前記コンテンツデータの再生中に中断された再生位置に関するリジューム情報に基づいて再生を再開するリジューム再生を行う再生手段を有する再生装置の再生方法であって、
再生装置と他の再生装置との間で前記リジューム再生の再生位置を共有するか否かの指示に基づいたリジューム共有情報及び前記リジューム情報を前記他の再生装置と接続した際に送信し、前記リジューム共有情報に基づいて、リジューム再生を共有する場合には前記他の再生装置から送信されたリジューム情報に基づいたリジューム再生を行う再生方法。
【請求項４】
記憶手段に格納されたコンテンツデータを再生するとともに、前記コンテンツデータの再生中に中断された再生位置に関するリジューム情報に基づいて再生を再開するリジューム再生を行う再生手段を有する再生装置のコンピュータを、
他の再生装置とデータ通信可能に接続する通信手段、
当該再生装置と他の再生装置との間で前記リジューム再生の再生位置を共有するか否かを指示する指示手段、
前記通信手段を介して他の再生装置と接続した際に、前記指示手段による指示に基づいた前記リジューム再生の共有に関するリジューム共有情報及び前記リジューム情報を前記他の再生装置に送信する送信手段、
前記リジューム共有情報に基づいて、リジューム再生を共有する場合に前記他の再生装置から送信されたリジューム情報に基づいたリジューム再生を行う再生制御手段、
として機能させるためのプログラム。
【発明の詳細な説明】
【技術分野】
【０００１】
本発明は、再生システム、再生装置、再生方法及びプログラムに関する。
【背景技術】
【０００２】
従来のＤＡＰ（Digital audio player）は、内蔵メモリに記憶された音声データの再生を停止させた後に再生する場合、前回の再生停止位置から再生するリジューム再生機能を有するものがある。このリジューム再生機能は、ＤＡＰ単独での使用中に実現していた。
【０００３】
また、上述したＤＡＰを他のオーディオプレイヤーとＵＳＢ（Universal Serial Bus）接続して再生したときには、ＤＡＰ単独で使用した際のリジューム再生位置を他のオーディオプレイヤーと共有し、他のオーディオプレイヤーでリジューム再生を行うことも可能であった。
【０００４】
例えば、特許文献１には、ＡＶ（Audio Visual）機器からシステム制御手段へリジュームデータを送信することで、ＡＶ機器側においてリジュームデータを格納するメモリやそのバックアップ用電源を備えることなくリジューム機能を実現する技術が開示されている。
【０００５】
また、特許文献２には、ポータブルオーディオ機器と車載オーディオ機器とを連携してリジューム再生を行う技術が開示されている。同様に、特許文献３には、ポータブルオーディオプレーヤ等の第１電子機器と、車載型オーディオプレーヤ等の第２電子機器と含む電子機器セットにおいて、第１電子機器で再生中のコンテンツを停止した場合でも第２再生機器でリジューム再生を行う技術が開示されている。
【特許文献１】特開２００２−１９７７７５号公報
【特許文献２】特開２００２−３７３４８４号公報
【特許文献１】特開２００４−２２１３９号公報
【発明の開示】
【発明が解決しようとする課題】
【０００６】
しかしながら、上述した従来技術では、ＤＡＰと他のオーディオプレイヤーとをＵＳＢ接続させて、ＤＡＰの内蔵メモリに記憶された音声データを他のオーディオプレイヤーで音声再生する時にはリジューム再生機能が実現できたが、その後、ＤＡＰを単独で使用した場合には他のオーディオプレイヤーで停止させた再生位置からのリジューム再生を行うことができなかった。また、リジューム再生位置をＤＡＰと他のオーディオプレイヤーとの間で共有するか否かの選択を行うことができず、使い勝手の良いものではなかった。
【０００７】
本発明の課題は、上述した従来技術の問題に鑑みてなされたものであって、単にＤＡＰ単独でデータ再生を行う場合だけでなく、ＤＡＰと他のオーディオプレイヤーを接続してＤＡＰに記憶されたデータを他のオーディオプレイヤー側で再生した後にＤＡＰ単独でデータ再生を行う場合にもリジューム再生機能を利用可能とする。さらに、そのリジューム再生位置をＤＡＰと他のオーディオプレイヤーとの間で共有するか否かの選択を可能とすることである。
【課題を解決するための手段】
【０００８】
上記課題を解決するために、請求項１に記載の発明は、記憶手段に格納されたコンテンツデータを再生するとともに、前記コンテンツデータの再生中に中断された再生位置に関するリジューム情報に基づいて再生を再開するリジューム再生を行う再生手段を有する再生装置の少なくとも２台を互いに接続し、いずれか一方の再生装置の前記記憶手段に格納されたコンテンツデータを他方の再生装置で再生する再生システムにおいて、
前記他方の再生装置は、
当該他の再生装置におけるリジューム再生の再生位置を前記一方の再生装置との間で共有するか否かを指示する指示手段と、
前記指示手段による指示に基づいてリジューム再生を共有する場合、当該リジューム再生の共有に関するリジューム共有情報及び前記リジューム情報を前記一方の再生装置に送信する送信手段と、
を備え、
前記一方の再生装置は、
前記リジューム共有情報に基づいて、リジューム再生を共有する場合に前記他の再生装置から転送されたリジューム情報に基づいたリジューム再生を行う再生制御手段を備える。
【０００９】
請求項２に記載の発明は、記憶手段に格納されたコンテンツデータを再生するとともに、前記コンテンツデータの再生中に中断された再生位置に関するリジューム情報に基づいて再生を再開するリジューム再生を行う再生手段を有する再生装置において、
他の再生装置とデータ通信可能に接続する通信手段と、
当該再生装置と他の再生装置との間で前記リジューム再生の再生位置を共有するか否かを指示する指示手段と、
前記通信手段を介して他の再生装置と接続した際に、前記指示手段による指示に基づいた前記リジューム再生の共有に関するリジューム共有情報及び前記リジューム情報を前記他の再生装置に送信する送信手段と、
前記リジューム共有情報に基づいて、リジューム再生を共有する場合に前記他の再生装置から送信されたリジューム情報に基づいたリジューム再生を行う再生制御手段と、
を備える。
【００１０】
請求項３に記載の発明は、記憶手段に格納されたコンテンツデータを再生するとともに、前記コンテンツデータの再生中に中断された再生位置に関するリジューム情報に基づいて再生を再開するリジューム再生を行う再生手段を有する再生装置の再生方法であって、
再生装置と他の再生装置との間で前記リジューム再生の再生位置を共有するか否かの指示に基づいたリジューム共有情報及び前記リジューム情報を前記他の再生装置と接続した際に送信し、前記リジューム共有情報に基づいて、リジューム再生を共有する場合には前記他の再生装置から送信されたリジューム情報に基づいたリジューム再生を行う。
【００１１】
請求項４に記載の発明は、記憶手段に格納されたコンテンツデータを再生するとともに、前記コンテンツデータの再生中に中断された再生位置に関するリジューム情報に基づいて再生を再開するリジューム再生を行う再生手段を有する再生装置のコンピュータを、
他の再生装置とデータ通信可能に接続する通信手段、
当該再生装置と他の再生装置との間で前記リジューム再生の再生位置を共有するか否かを指示する指示手段、
前記通信手段を介して他の再生装置と接続した際に、前記指示手段による指示に基づいた前記リジューム再生の共有に関するリジューム共有情報及び前記リジューム情報を前記他の再生装置に送信する送信手段、
前記リジューム共有情報に基づいて、リジューム再生を共有する場合に前記他の再生装置から送信されたリジューム情報に基づいたリジューム再生を行う再生制御手段、
として機能させるためのプログラムである。
【発明の効果】
【００１２】
本発明によれば、単に再生装置単独でデータ再生を行う場合だけでなく、再生装置と他の再生装置を接続して再生装置に記憶されたデータを他の再生装置側で再生した後に再生装置単独でデータ再生を行う場合にもリジューム再生機能を利用可能とすることができる。さらに、そのリジューム再生位置を再生装置と他の再生装置との間で共有するか否かの選択を可能とすることができる。
【発明を実施するための最良の形態】
【００１３】
以下、実施の形態について図１〜図５を参照して説明する。この実施の形態は、最も好ましい一形態を示すものであり、特にこの形態に限定するものではない。
【００１４】
先ず、再生装置、その再生装置を互いに接続した再生システムの構成について図１、２を参照して説明する。図１は、本実施の形態に係る再生装置の機能的構成を模式的に示すブロック図である。図２（ａ）は、記憶部に格納されるデータを模式的に示す概念図であり、図２（ｂ）は、再生装置同士の接続を模式的に示す概念図である。
【００１５】
図１に示すとおり、再生装置１、２は、大容量メモリである記憶部２０を備え、このメモリに保存されたコンテンツデータを再生する再生装置である。ここで言うコンテンツデータは例えば音声や映像などのファイルデータであり、再生装置はコンテンツデータを再生することで音声や映像などの再生を行う。また、再生装置１、２は、外部機器と接続して当該外部機器との間でコンテンツデータなどの記憶部２０に保存されたデータの送受信を行うことが可能な構成である。
【００１６】
なお、再生装置１、２については、特に図示しないが、ＭＤ（Mini  Disc）、ＣＤ、ＣＤ−Ｒ／ＲＷ（Recordable／ReWriteable）、ＤＶＤ（Digital  Versatile  Disc）、ＤＶＤ−Ｒ／ＲＷ、青色レーザを用いる次世代高密度情報記憶媒体などに格納されたデータの読み出しや書き込みを行うメディア再生／記録部や、放送局から送信される放送信号を、周波数調整して受信する受信部などを有し、上記メディアや放送局から送信されるデータを再生してもよい。
【００１７】
以下に述べる再生装置１、再生装置２の内部構成については、再生装置１の構成を例示して説明を行う。再生装置２については、再生装置１と略同一の構成であるため、同一の符号を付して説明を省略する。
【００１８】
図１に示すように、再生装置１は、制御部１０、記憶部２０、表示部３０、操作部４０、出力端子５０、入力端子６０を備えて構成されている。また、制御部１０は、ＣＰＵ１１（Central  Processing  Unit）、ＲＡＭ１２（Random  Access  Memory）、ＲＯＭ１３（Read  Only  Memory）、割込コントローラ１４、Ｉ／Ｆ１５、Ｄ／Ａ変換器１６、データ処理部１７、Ａ／Ｄ変換器１８を備えて構成されている。
【００１９】
ＣＰＵ１１は、ＲＯＭ１３から制御プログラムを読み出してＲＡＭ１２に展開し、当該制御プログラムとの協働により、各部の動作を集中制御する。或いは、各種演算を行う。
【００２０】
具体的には、ＣＰＵ１１は、記憶部２０やＩ／Ｆ１５を介して接続する他の再生装置等に格納された音声や映像等のコンテンツデータを順次読み出してデータ処理部１７に出力する再生処理や、入力端子６０を介して入力される音声信号又は映像信号をデジタル変換した後に記憶部２０に格納する記録処理を行う。このＣＰＵ１１が行う再生処理は、後述する再生開始処理や再生停止処理をＣＰＵ１１が実行することにより開始／終了される。また、ＣＰＵ１１は、Ｉ／Ｆ１５を介した他の再生装置との接続を検出した際に、後述する接続処理を実行する。
【００２１】
ＲＡＭ１２は、データを一時記憶する作業用メモリである。
ＲＯＭ１３は、制御プログラム等の各種プログラム、プログラムの実行に必要なプログラムやデータを記憶している。
【００２２】
割込コントローラ１４は、操作部４０から操作信号が入力されると、ＣＰＵ１１の処理中に割込でその操作信号を出力するよう制御を行う。
【００２３】
Ｉ／Ｆ１５は、記憶部２０内のデータをやりとりするインターフェイスである。Ｉ／Ｆ１５は例えばＵＳＢ端子等が適用され、他の再生装置やＰＣ（Personal  Computer）等の情報機器にケーブルを介して接続されると、当該情報機器から出力されたデータを記憶部２０に出力する。又は、記憶部２０に格納されたデータをＩ／Ｆ１５を介して接続する情報機器に出力する。つまり、Ｉ／Ｆ１５は、接続する他の再生装置と再生装置１との間をデータ通信可能に接続する。
【００２４】
Ｄ／Ａ変換器１６は、データ処理部１７により入力される音声や映像等のコンテンツデータ（デジタル信号）をアナログ信号に変換して出力端子５０に出力する。Ａ／Ｄ変換器１８は、入力端子６０から入力される音声や映像などに関するデータ（アナログ信号）をコンテンツデータ（デジタル信号）に変換し、当該コンテンツデータをデータ処理部１７に出力する。
【００２５】
データ処理部１７は、ＣＰＵ１１の制御に従い、再生対象である音声や映像等のコンテンツデータが入力されるとＤ／Ａ変換器１６に出力する。具体的には、データ処理部１７は、ＣＰＵ１１の制御の下、記憶部２０に格納された音声や映像等のコンテンツデータが入力されて、データ処理後、当該コンテンツデータをＤ／Ａ変換器１６に出力している。また、記憶部２０などへの記録するコンテンツデータがＡ／Ｄ変換器１８から入力されると、データ処理後、これをＣＰＵ１１に出力する。
【００２６】
記憶部２０は、例えばハードディスクドライブや半導体メモリなどの大容量メモリであり、再生装置１において再生対象となる音声や映像等のコンテンツデータをファイル化したものを、データベース化して格納している。なお、記憶部２０は、外部メモリであってもよく、内蔵タイプやカード型等の可搬型のメモリであってもよい。
【００２７】
具体的には、図２（ａ）に示すように、記憶部２０は、データファイル２１、リジューム共有フラグ２２、リジューム再生対象ファイル名２３、リジューム再生位置２４などを格納している。データファイル２１は、ＭＰ３／ＷＭＡ（MPEG Audio Layer-3／Windows Media(登録商標) Audio）等の再生対象となる音声や映像等のコンテンツデータである。リジューム共有フラグ２２は、リジューム再生の再生位置を他の再生装置と共有するか否かを示すフラグデータである。リジューム再生対象ファイル名２３は、前回の再生中に中断したコンテンツデータのファイル名である。リジューム再生位置２４は、前回の再生中に中断したコンテンツデータの中断位置に関する情報である。このリジューム再生対象ファイル名２３、リジューム再生位置２４は、後述する接続処理により再生装置１と接続する他の再生装置との間で共有される情報である。
【００２８】
なお、再生装置１は、上述したリジューム再生対象ファイル名２３、リジューム再生位置２４とは別に、他の再生装置と共有しない通常のリジューム再生に関するデータを記憶部２０に格納する構成であってよい。また、リジューム共有フラグ２２以外に、リジューム再生の有無を指示するリジュームフラグを記憶部２０に格納する構成であってよい。この場合は、後述する再生開始処理において、リジューム共有フラグ２２の設定に基づいたリジューム再生と通常のリジューム再生とを明確に区別して処理することができる。また、再生開始処理で通常再生を行う際に、リジュームフラグに基づいて通常のリジューム再生の有無を判定し、通常のリジューム再生を行うと判定された場合に、記憶部２０に格納された通常のリジューム再生に関するデータに基づいた通常のリジューム再生を行うことができる。
【００２９】
表示部３０は、ＬＣＤ（Liquid  Crystal  Display）等の表示画面を備え、ＣＰＵ１１から出力される制御信号に基づいて表示画面上に各種情報や操作画面を表示する。
【００３０】
操作部４０は、再生、再生停止、早戻し、早送り等の再生操作、一時停止、停止等の再生停止操作、音量調整、ステレオ／モノラル再生等の再生条件設定操作、リジューム再生の有無やそのリジューム再生位置をＩ／Ｆ１５を介して接続する他の再生装置と共有するか否かなどのリジューム再生に関する設定、プログラム再生等の各種機能設定操作に係るボタンを備えて構成されている。
【００３１】
操作部４０は、ユーザによって操作されたボタンに対応する操作信号を生成し、割込コントローラ１４に出力することで、再生装置１の動作中であっても各種指示を行う指示手段としての機能を実現する。
【００３２】
また、操作部４０は、上述した操作指示の他に、各種操作指示を組み合わせて別の操作指示を受け付ける構成であってもよい。例えば、一時停止と停止とを同時に操作することで、再生装置１に接続する他の再生装置との間でリジューム再生を共有する指示を受け付けてもよい。
【００３３】
出力端子５０は、スピーカーやヘッドホン、ディスプレイなどの出力機器と接続するための端子である。Ｄ／Ａ変換器１６から出力された信号は、出力端子５０を介して前記出力機器に出力され、当該出力機器において再生出力される。つまり、出力機器からは、ＣＰＵ１１の制御の下、データ処理部１７、Ｄ／Ａ変換器１６、Ｉ／Ｆ１５を介して当該出力機器へ出力される記憶部２０に格納された音声や映像等のコンテンツデータに基づいた音声や映像等が再生される。
【００３４】
入力端子６０は、ＣＤプレイヤー、ＭＤプレイヤー等の外部のオーディオプレイヤーや、ビデオカメラなどの映像機器と接続するための端子である。入力端子６０を介して入力された信号は、ＣＰＵ１１の制御の下、Ａ／Ｄ変換器１８によってデジタル化された後、データ処理部１７においてファイル化され、記憶部２０に格納されることとなる。或いは、データ処理部１７によってＤ／Ａ変換器１６に出力され、出力端子５０を介して上述した出力機器から再生出力されることとなる。
【００３５】
上述した再生装置１及び当該再生装置１と略同一構成である再生装置２は、図２（ｂ）に示すように、Ｉ／Ｆ１５を介して互いにデータ通信可能に接続することで、いずれか一方の再生装置の記憶部２０に格納された音声や映像等のコンテンツデータを他方の再生装置のＣＰＵ１１の制御に従って再生する再生システムを構成する。
【００３６】
次に、再生装置１、２のＣＰＵ１１が実行する処理であり、コンテンツデータの再生処理を停止する再生停止処理、コンテンツデータの再生処理を開始する再生開始処理、Ｉ／Ｆ１５を介した他の再生装置との接続を検出した際に行う接続処理について、図３、４を参照して説明する。
【００３７】
図３は、再生装置における再生停止処理を示すフローチャートである。図４（ａ）は、再生装置における再生開始処理を示すフローチャートであり、図４（ｂ）は、再生装置にける接続処理を示すフローチャートである。
【００３８】
先ず、ＣＰＵ１１の制御の下、記憶部２０に格納された音声や映像等のコンテンツデータを順次読み出してデータ処理部１７に出力して行われる再生処理時に操作部４０からの操作指示などに基づいて行われる再生停止処理を説明する。
【００３９】
図３に示すように、操作部４０からの操作指示などにより再生停止が指示されると、その再生停止位置からのリジューム再生を他の再生装置と共有するための指示が操作部４０からあるか否かが判定され（ステップＳ１１）、指示がある場合（ＹＥＳ）は共有することを示す「１」がリジューム共有フラグ２２に設定される（ステップＳ１２）。又、ステップＳ１１において、指示がない場合（ＮＯ）は共有しないことを示す「０」がリジューム共有フラグ２２に設定される（ステップＳ１３）。
【００４０】
次いで、再生停止が指示された際に再生中であったコンテンツデータのファイル名がリジューム再生対象ファイル名２３に設定され（ステップＳ１４）、再生停止が指示された際に再生中であったコンテンツデータの再生位置がリジューム再生位置２４に設定され（ステップＳ１５）、コンテンツデータの再生停止が行われて（ステップＳ１６）、終了する。
【００４１】
上述した再生停止処理により、再生装置１は、コンテンツデータの再生停止時において、その再生停止位置からのリジューム再生を他の再生装置と共有するか否かの設定を含むリジューム設定を行うことができる。
【００４２】
次に、ＣＰＵ１１の制御の下、操作部４０からの操作指示などに基づいて行われる再生開始処理について説明する。
【００４３】
図４（ａ）に示すように、操作部４０からの操作指示などにより再生開始が指示されると、記憶部２０に格納されたデータが取得されて、リジューム再生に関するデータ、つまり、リジューム共有フラグ２２、リジューム再生対象ファイル名２３、リジューム再生位置２４が記憶部２０に格納されているか否かが判定される（ステップＳ２１）。
【００４４】
ステップＳ２１において、リジューム再生に関するデータがあると判定された場合（ＹＥＳ）は、リジューム共有フラグ２２の設定内容が「１」であるか否か、つまり、リジューム再生の再生位置を他の再生装置と共有するか否かが判定され（ステップＳ２２）、共有する場合（ＹＥＳ）にリジューム再生対象ファイル名２３、リジューム再生位置２４に基づいたリジューム再生、つまり、他の再生装置との間で共有されるリジューム情報に基づいたリジューム再生が開始され（ステップＳ２３）、終了する。
【００４５】
また、ステップＳ２１においてリジューム共有フラグ２２、リジューム再生対象ファイル名２３、リジューム再生位置２４が記憶部２０に格納されていない場合（ＮＯ）や、ステップＳ２２においてリジューム共有フラグ２２の設定内容が「０」であり、リジューム再生の再生位置を他の再生装置と共有しないと判定された場合（ＮＯ）は、記憶部２０に格納されたコンテンツデータを最初から再生する等の通常再生が開始され（ステップＳ２４）、終了する。
【００４６】
上述した再生開始処理により、再生装置１は、コンテンツデータの再生開始する際に、リジューム共有フラグ２２の設定に基づいて、リジューム再生の再生位置を他の再生装置と共有する場合に他の再生装置との間で共有されるリジューム情報に基づいたリジューム再生を開始することができる。
【００４７】
次に、ＣＰＵ１１の制御の下、Ｉ／Ｆ１５を介した他の再生装置との接続を検出した際に行う接続処理について説明する。
【００４８】
図４（ｂ）に示すように、他の再生装置との接続が検出されて接続処理が開始されると、接続先である相手機器側にリジューム再生に関するデータ、つまり、リジューム共有フラグ２２、リジューム再生対象ファイル名２３、リジューム再生位置２４があるか否かが判定され（ステップＳ３１）、ある場合（ＹＥＳ）はそのリジューム再生に関するデータが自機側の記憶部２０にコピーされ（ステップＳ３２）、終了する。
【００４９】
なお、上述した接続処理では、ステップＳ３１において、自機側の記憶部２０に格納されたリジューム共有フラグ２２の設定内容が「１」であるか否かが判定され、「１」である場合、つまり、リジューム再生の再生位置を他の再生装置と共有すると指示されている場合には自機側の記憶部２０に格納されたリジューム再生対象ファイル名２３、リジューム再生位置２４が相手機器側にコピーされる構成であってもよい。
【００５０】
上述した接続処理により、再生装置１は、他の再生装置とＩ／Ｆ１５を介してデータ通信可能に接続された際に、他の再生装置に格納されたリジューム再生に関するデータのコピーや、自機にリジューム再生の再生位置を他の再生装置と共有することが指示されている場合に自機側の記憶部２０に格納されたリジューム再生対象ファイル名２３、リジューム再生位置２４を接続する他の再生装置にコピーすることができ、リジューム再生に関するデータを他の再生装置と共有することができる。
【００５１】
次に、再生停止処理の変形例であり、前述した図２（ｂ）に例示した再生システムの再生中に行われる再生停止処理について図５を参照して説明する。図５は、接続する他の再生装置に格納されたデータを再生中に行われる再生停止処理を示すフローチャートである。
【００５２】
図２（ｂ）に示すように、再生装置１、２がＩ／Ｆ１５を介して互い接続した再生システムにおける再生停止処理は、いずれか一方の再生装置のＣＰＵ１１の制御の下、他の再生装置の記憶部２０に格納された音声や映像等のコンテンツデータを再生している際に、操作部４０からの操作指示などに基づいて開始される。
【００５３】
図５に示すように、上述した再生システムにおいて再生停止処理が開始されると、コンテンツデータの再生停止位置からリジューム再生を他の再生装置と共有するための指示が操作部４０からあるか否かが判定され（ステップＳ４１）、指示がある場合（ＹＥＳ）は共有することを示す「１」がリジューム共有フラグ２２に設定される（ステップＳ４２）、また、ステップＳ４１において、指示がない場合（ＮＯ）は共有しないことを示す「０」がリジューム共有フラグ２２に設定される（ステップＳ４３）。
【００５４】
次いで、再生停止が指示された際に再生中であったコンテンツデータのファイル名がリジューム再生対象ファイル名２３に設定され（ステップＳ４４）、再生停止が指示された際に再生中であったコンテンツデータの再生位置がリジューム再生位置２４に設定され（ステップＳ４５）、コンテンツデータの再生停止が行われる（ステップＳ４６）。
【００５５】
次いで、記憶部２０に設定されたリジューム再生に関するデータ、つまり、リジューム共有フラグ２２、リジューム再生対象ファイル名２３、リジューム再生位置２４が接続相手機器、即ち、Ｉ／Ｆ１５を介して接続する他の再生装置の記憶部２０にコピー保存され（ステップＳ４７）、終了する。
【００５６】
図２（ｂ）に例示した再生システムでは、上述した再生停止処理を行うことで、いずれか一方の再生装置で他の再生装置の記憶部２０に格納された音声や映像等のコンテンツデータの再生停止時において、その再生停止位置からのリジューム再生を他の再生装置と共有するか否かの設定を含むリジューム設定を行うことができるとともに、互いの再生装置でそのリジューム設定を共有することができる。
【００５７】
また、この再生システムで上述した再生停止処理を行った場合は、互いの接続を切り離して再生装置単独で前述した再生開始処理を行うことで、再生システムによる再生時に停止した位置からのリジューム再生を行うことができる。
【００５８】
以上のように、本実施の形態によれば、ＣＰＵ１１の制御の下、記憶部２０に格納された音声や映像等のコンテンツデータを再生するとともに、再生中に中断された再生位置に関するリジューム再生対象ファイル名２３、リジューム再生位置２４に基づいて再生を再開するリジューム再生を行う再生装置１、２を互いに接続し、いずれか一方の再生装置の記憶部２０に格納されたコンテンツデータを他方の再生装置で再生する再生システムにおいて、他方の再生装置のＣＰＵ１１は、操作部４０の操作に基づいてリジューム再生の再生位置を前記一方の再生装置との間で共有するか否かを指示し、その指示に基づいてリジューム再生を共有する場合、当該リジューム再生の共有に関するリジューム共有フラグ２２、リジューム再生対象ファイル名２３、リジューム再生位置２４を前記一方の再生装置に送信し、一方の再生装置のＣＰＵ１１は、リジューム共有フラグ２２に基づいてリジューム再生を共有する場合に転送されたリジューム再生対象ファイル名２３、リジューム再生位置２４に基づいたリジューム再生を行う。
【００５９】
このため、ＤＡＰ単独でデータ再生を行う場合だけでなく、ＤＡＰとオーディオプレイヤーや情報機器等の外部機器とを接続し、ＤＡＰに記憶されたコンテンツデータを外部機器側で再生した後であって、ＤＡＰ単独で再生する場合においてもリジューム再生機能を利用することができる。つまり、ＤＡＰ単独で再生する場合や外部機器と接続して再生する場合などの状況によらず、常にリジューム再生を活用することができるため、利便性が向上する。さらに、リジューム再生位置をＤＡＰと外部機器との間で共有するか否かの選択を行うことができるため、利便性が向上する。
【００６０】
なお、本実施の形態における記述は、再生装置１、２の一例を示すものであり、これに限定するものではない。本実施の形態における構成及び動作に関しては、適宜変更が可能なものである。
【００６１】
例えば、本実施の形態においては、リジューム再生の再生位置を他の再生装置と共有するか否かの指示を操作部４０で行う構成を例示したが、操作部４０で受け付けられた指示を予め記憶部２０に格納しておき、その格納された指示に基づいて再生制御する構成であってもよい。この場合は、ユーザが操作部４０を操作する際に、再生停止時にリジューム再生の共有も指示することなく、通常の再生停止を指示するだけでよい。
【図面の簡単な説明】
【００６２】
【図１】再生装置の機能的構成を模式的に示すブロック図である。
【図２】（ａ）は、記憶部に格納されるデータを模式的に示す概念図であり、（ｂ）は、再生装置同士の接続を模式的に示す概念図である。
【図３】再生装置における再生停止処理を示すフローチャートである。
【図４】（ａ）は、再生装置における再生開始処理を示すフローチャートであり、（ｂ）は、再生装置にける接続処理を示すフローチャートである。
【図５】接続する他の再生装置に格納されたデータを再生中に行われる再生停止処理を示すフローチャートである。
【符号の説明】
【００６３】
１、２  再生装置
１０  制御部
１１  ＣＰＵ
１２  ＲＡＭ
１３  ＲＯＭ
１４  割込コントローラ
１５  Ｉ／Ｆ
１６  Ｄ／Ａ変換器
１７  データ処理部
１８  Ａ／Ｄ変換器
２０  記憶部
２１  データファイル
２２  リジューム共有フラグ
２３  リジューム再生対象ファイル名
２４  リジューム再生位置
３０  表示部
４０  操作部
５０  出力端子
６０  入力端子
７０  ＣＤ再生部
【図１】
2008217929.tif 000003
【図２】
2008217929.tif 000004
【図３】
2008217929.tif 000005
【図４】
2008217929.tif 000006
【図５】
2008217929.tif 000007